(57)【要約】  リードフィルムが二次電池の外部に突出する付着状態を肉眼で確認して二次電池の絶縁性を確保し、完製品の欠陥率を減少させることによって製品の信頼度を向上させる二次電池及び二次電池の欠陥検査方法を提供する。陽極と陰極との間に分離膜が介在されている構造の電極組立体と、前記電極組立体の装着のための収納部が形成されている電池ケースと、前記電池ケースの外部にそれぞれ突出している電極リードと、前記電極リードの両面に付着されるリードフィルムとを含み、前記リードフィルムは発光物質を含む構造を有する二次電池である。
2021500716.tif 000002
【特許請求の範囲】
【請求項１】
陽極と陰極との間に分離膜が介在されている構造の電極組立体と、
前記電極組立体の装着のための収納部が形成されている電池ケースと、
前記電池ケースの外部にそれぞれ突出している電極リードと、
前記電極リードの両面に付着されるリードフィルムと、
を含み、
前記リードフィルムは発光物質を含む構造を有する、二次電池。
【請求項２】
前記発光物質は光照射によって蛍光を示す、請求項１に記載の二次電池。
【請求項３】
前記光照射は紫外線又は青色光の照射である、請求項２に記載の二次電池。
【請求項４】
前記リードフィルムは、リードフィルム本体と前記発光物質が一体型に形成された構造を有する、請求項１〜３の何れか一項に記載の二次電池。
【請求項５】
前記リードフィルムは、リードフィルム本体及び前記リードフィルム本体の外面に形成された発光層を含む構造を有する、請求項１〜４の何れか一項に記載の二次電池。
【請求項６】
前記発光物質は、水系又は溶剤系の蛍光染料、硫化物系蛍光顔料、酸素酸塩系の蛍光顔料及び燐光顔料からなる群から選択される１種以上である、請求項１〜５の何れか一項に記載の二次電池。
【請求項７】
前記発光物質は、クマリン系、ナフタルイミド系、キナクリドン系、シアニン系、キサンチン系、ピリジン系、低分子発光材料、高分子発光材料、無機系及びこれらの組合せからなる群から選択される１種以上である、請求項１〜６の何れか一項に記載の二次電池。
【請求項８】
前記リードフィルムは、相異なる色相を発光する２種以上の発光物質を含む構造を有する、請求項１〜７の何れか一項に記載の二次電池。
【請求項９】
前記電極リードは陽極リード及び陰極リードであり、前記陽極リード及び陰極リードに付着されるリードフィルムは、相異なる色相を発光する２種以上の発光物質を含む構造を有する、請求項１〜８の何れか一項に記載の二次電池。
【請求項１０】
前記リードフィルムは、一定長さごとに相異なる色相を発光する２種以上の発光物質を含む構造を有する、請求項１〜９の何れか一項に記載の二次電池。
【請求項１１】
前記リードフィルムは、外面に保護層がさらに設けられている、請求項１〜１０の何れか一項に記載の二次電池。
【請求項１２】
請求項１〜１１のいずれか一項に記載の二次電池の欠陥検査方法であって、
（ａ）発光物質を含む構造を有するリードフィルムを適用して二次電池を製造する段階と、
（ｂ）前記段階（ａ）で製造された二次電池に光照射する段階と、
（ｃ）リードフィルムが蛍光で発光した部分を肉眼で確認して欠陥を有するかを判別する段階と、
を含む、二次電池の欠陥検査方法。
【発明の詳細な説明】
【技術分野】
【０００１】
本出願は２０１８年８月８日付の韓国特許出願第２０１８−００９２２７０号に基づく優先権の利益を主張し、該当韓国特許出願の文献に開示された全ての内容はこの明細書の一部として含まれる。
【０００２】
本発明は発光物質を含むリードフィルムを備えた二次電池及び二次電池の欠陥検査方法に関するものであり、発光物質を含むリードフィルムを電極リードの上下面に付着し、二次電池の製造後、光照射によって前記リードフィルムの付着状態を肉眼で確認し、二次電池の欠陥を検査することができる二次電池に関するものである。
【背景技術】
【０００３】
二次電池は、電池ケースの形状によって、電極組立体が円筒形又は角形の金属缶に内蔵されている円筒型電池及び角型電池と、電極組立体がアルミニウムラミネートシートのパウチ形ケースに内蔵されているパウチ型電池とに分類される。
【０００４】
そのうちにも、高い集積度で積層されることができ、重量当たりエネルギー密度が高くて安いし、変形が容易なパウチ型が大きな関心を引いている。
【０００５】
前記パウチ型二次電池は、電極組立体、前記電極組立体から延びている電極タブ、前記電極タブに溶接されている電極リード、及び前記電極組立体を収容する電池ケースを含む。
【０００６】
前記電池ケースは上部ケース及び下部ケースからなることができ、前記電極タブが突出する方向の上部ケース及び下部ケースが熱融着するとき、電極リードと電池ケースとの間にショートが発生することを防止し、電池ケースの密封力を確保するために、前記電極リードと電池ケースの外周面シーリング部との間にはリードフィルムを付着する。
【０００７】
従来の代表的なパウチ型二次電池は、電極組立体、電極組立体から延びている電極タブ、電極タブに溶接されている電極リード、及び電極組立体を収容する電池ケースを含んでなる。
【０００８】
電極組立体は分離膜が介在された状態で陽極と陰極が順次積層されている発電素子であり、スタック型又はスタック／フォルディング型構造を有している。電極タブは電極組立体の各極板から延びており、電極リードは各極板から延びている複数の電極タブと、例えば、溶接によってそれぞれ電気的に連結されており、電池ケースの外部に一部が露出されている。電極リードの上下面の一部には、電池ケースとの密封度を高めるとともに電気的絶縁状態を確保するために、絶縁フィルムが付着されている。
【０００９】
前記リードフィルムは、ポリイミド（ＰＩ：ｐｏｌｙｉｍｉｄｅ）、ポリプロピレン（ＰＰ：ｐｏｌｙｐｒｏｐｈｙｌｅｎｅ）、ポリエチレン（ＰＥ：ｐｏｌｙｅｔｈｙｌｅｎｅ）、ポリエチレンテレフタレート（ＰＥＴ：ｐｏｌｙｅｔｈｙｌｅｎｅ  ｔｅｒｅｐｈｔｈａｌａｔｅ）及びポリ塩化ビニル（ＰＶＣ：ｐｏｌｙｖｉｎｙｌ  ｃｈｌｏｒｉｄｅ）などから選択されたいずれか１種以上の物質から構成され、前記リードフィルムは熱と圧力によって電池ケースの内部層と熱融着して接着される。
【００１０】
前記リードフィルムは、電極リードとパウチ型ケースの金属層、例えばアルミニウムシートとの間で短絡が発生することを防止するだけでなく、パウチ型ケースの密封力を向上させて電解液などの漏出を防止するために、前記電池ケースの外部に突出させて付着する。
【００１１】
ところが、前記リードフィルムの接着が均一ではない場合、電池ケースの外周部のシーリング工程で発生する輻射熱／伝導熱によって収納部に位置するリードフィルムの下端部が巻かれるか又は撓む現象が発生して電池ケースにデント（ｄｅｎｔ）が発生するか、電極リードと電池ケース内部のアルミニウムシートが直接的に接触することにより、絶縁抵抗の減少による絶縁性低下、短絡又は腐食などの深刻な問題をもたらすことになる。
【００１２】
特に、陰極と電池ケースが接触すれば、アルミニウムパウチの物性変化による水分浸透及びスウェリングが発生する恐れがある
【００１３】
また、前記パウチの熱融着部位は外部の水分浸透に弱い。よって、長期的には水分の浸透を避けることができなく、浸透した水分は電解液に含まれたＬｉＰＦ６の陰イオンと反応してＨＦを生成し、結果的に陰極活物質の退化をもたらす。
【００１４】
特許文献１は、数十乃至数百ミクロン単位に粉砕したガラス繊維を電極端子の金属と接着する絶縁フィルムの接着層に添加して強度の方向性を無くし、表面の平滑性を向上させて耐熱性、耐磨耗性及び寸法安全性を大きく向上させることができる高耐熱性絶縁フィルムウを開示している。特許文献１は水分浸透などがあっても絶縁フィルムが堅固に支持されて電気絶縁性を維持することができるが、電池ケースの外周部のシーリング工程で熱によってリードフィルムの下端部が巻かれるか、又は損傷されることを確認することができなければ、水分浸透が避けられないため、電気絶縁効果に限界がある。
【００１５】
特許文献２は、メイン層、前記メイン層の片面又は両面に形成されたスキン層、及び前記スキン層上に形成された酸反応物質を含むコーティング層を含む二次電池のリードタブ（ｌｅａｄ  ｔａｂ）用高分子フィルムを開示している。前記特許文献２は、電極端子と高分子フィルムとの間で電解液が漏出する場合、高分子フィルムのコーティング層に含まれた酸反応物質が電解液、空気及び水分との接触によって生成されるフッ化水素酸と反応して変色するので、製作工程及び使用中の電解液の漏出を直接目で確認することができるが、リードフィルムが電池ケースの外部に突出しない場合、リードフィルムの変色有無を確認することができなくて欠陥電池セルを区別しにくい問題がある。
【００１６】
特許文献３は、ベアセルの外面に付着されるラベルの少なくとも一層に蛍光物質を含む蛍光発色層を含むリチウムイオン二次電池を開示しているが、正常品であるかを確認することを目的とし、蛍光発色層が電極リード及びリードフィルムではなくて電池ケースに付着される。
【００１７】
特許文献４は、二次電池のケースの一部に蛍光コーティング部が塗布されている構成を開示しているが、電解液が流出する状態を把握することを目的とし、前記蛍光コーティング部がキャッププレートとケースの開口部との間に塗布される。
【００１８】
以上で検討したように、特許文献１乃至４はリードフィルムの接着欠陥による二次電池の絶縁性低下、短絡、又は腐食の問題を解決するのに限界があるので、リードフィルムの付着状態及び突出程度によって二次電池の欠陥を把握することができる技術に対する必要性が高い実情である。
【先行技術文献】
【特許文献】
【００１９】
【特許文献１】韓国登録特許第１２４０５６８号公報
【特許文献２】韓国登録特許第１５４０８５７号公報
【特許文献３】韓国登録特許第０６０１５３０号公報
【特許文献４】韓国公開特許第２０１６−０１０７９７３号公報
【発明の概要】
【発明が解決しようとする課題】
【００２０】
本発明が解決しようとする課題は、リードフィルムが二次電池の外部に突出する付着状態を肉眼で確認して二次電池の絶縁性を確保し、完製品の欠陥率を減少させることによって製品の信頼度を向上させることである。
【課題を解決するための手段】
【００２１】
前記のような問題点を解決するための本発明の一実施例によるパウチ型二次電池は、陽極と陰極との間に分離膜が介在されている構造の電極組立体と、前記電極組立体の装着のための収納部が形成されている電池ケースと、前記電池ケースの外部にそれぞれ突出している電極リードと、前記電極リードの両面に付着されるリードフィルムと、を含み、前記リードフィルムは発光物質を含む構造を有することができる。
【００２２】
前記発光物質は光照射によって蛍光を示すことができる。
【００２３】
前記光照射は紫外線又は青色光の照射であってもよい。
【００２４】
前記前記リードフィルムは、リードフィルム本体と発光物質が一体型に形成された構造を有することができる。
【００２５】
前記リードフィルムは、リードフィルム本体及び前記リードフィルム本体の外面に形成された発光層を含む構造を有することができる。
【００２６】
前記発光物質は、水系又は溶剤系の蛍光染料、硫化物系蛍光顔料、酸素酸塩系の蛍光顔料及び燐光顔料からなる群から選択される１種以上であり得る。
【００２７】
前記発光物質は、クマリン系、ナフタルイミド系、キナクリドン系、シアニン系、キサンチン系、ピリジン系、低分子発光材料、高分子発光材料、無機系及びこれらの組合せからなる群から選択された１種以上であり得る。
【００２８】
前記リードフィルムは、相異なる色相を発光する２種以上の発光物質を含む構造を有することができる。
【００２９】
前記電極リードは陽極リード及び陰極リードであり、前記陽極リード及び陰極リードに付着されるリードフィルムは、相異なる色相を発光する２種以上の発光物質を含む構造を有することができる。
【００３０】
前記リードフィルムは、一定長さごとに相異なる色相を発光する２種以上の発光物質を含む構造を有することができる。
【００３１】
前記リードフィルムは、外面に保護層がさらに設けられることができる。
【００３２】
また、本発明は、二次電池の欠陥検査方法を提供する。
【００３３】
具体的に、前記二次電池の欠陥検査方法は、（ａ）発光物質を含む構造を有するリードフィルムを適用して二次電池を製造する段階と、（ｂ）前記段階（ａ）で製造された二次電池に光照射する段階と、（ｃ）リードフィルムが蛍光で発光された部分を肉眼で確認して欠陥を有するかを判別する段階と、を含むことができる。
【００３４】
また、本発明は、前記二次電池を含む電池パックを提供する。
【００３５】
前記電池パックは、高温安定性及び長いサイクル特性と高いレート特性などが要求されるデバイスの電源として使われることができる。このようなデバイスの詳細な例としては、モバイル電子機器（ｍｏｂｉｌｅ  ｄｅｖｉｃｅ）、ウェアラブル電子機器（ｗｅａｒａｂｌｅ  ｄｅｖｉｃｅ）、電池的モーターによって動力を受けて動作する動力工具（ｐｏｗｅｒ  ｔｏｏｌ）；電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ  ｇｏｌｆ  ｃａｒｔ）；電力貯蔵装置（Ｅｎｅｒｇｙ  Ｓｔｏｒａｇｅ  Ｓｙｓｔｅｍ）などを挙げることができるが、これに限定されるものではない。
【００３６】
これらのデバイスの構造及びその製作方法は当該分野に公知となっているので、本明細書ではそれについての詳細な説明は省略する。
【図面の簡単な説明】
【００３７】
【図１】本発明の一実施例によるリードフィルムの垂直断面図である。
【図２】本発明の他の一実施例によるリードフィルムの垂直断面図である。
【図３】本発明の一実施例による二次電池の平面図である。
【図４】本発明の他の一実施例による二次電池の平面図である。
【図５】リードフィルム付着欠陥の例を示す二次電池の平面図である。
【図６】リードフィルム付着欠陥の例を示す二次電池の平面図である。
【発明を実施するための形態】
【００３８】
本発明の一実施例による二次電池は、陽極と陰極との間に分離膜が介在されている構造の電極組立体、前記電極組立体の装着のための収納部が形成されている電池ケース、前記電池ケースの外部にそれぞれ突出している電極リード、及び前記電極リードの両面に付着されるリードフィルムを含み、前記リードフィルムは発光物質を含む構造を有する。
【００３９】
前記電極組立体はその構造が特に限定されない。例えば、スタック型構造、ゼリーロール型構造又はスタック／フォルディング型構造又はラミネーション／スタック型構造を有することができる。
【００４０】
前記電池ケースを構成する前記ラミネートシートは、前記本体の内面をなす第１樹脂層、本体の外面をなす第２樹脂層、及び前記第１樹脂層と第２樹脂層との間に介在されている金属層を含む構造を有することができる。
【００４１】
電池ケースはアルミニウムラミネートシートからなり、電極組立体を収容することができる空間を提供し、全体的にパウチ形状を有している。電池ケースは、水分浸透を防ぐための金属バリア層を中心として、ナイロン又はポリエチレンテレフタレート素材からなり、外側に位置する外部樹脂層、及び電池ケースを熱融着するためのポリプロピレン素材からなる内部樹脂層が順次位置する。
【００４２】
前記金属層は、空気、湿気などが電池の内部に流入することを防止する役割を果たし、電池の使用又は移動中に電池の内外部で発生し得る物理的力に対して電池ケースが堅固に維持されるようにする役割を果たす。金属層の素材は、アルミニウム、アルミニウム合金、銅、銅合金、ニッケル、ニッケル合金及びステンレススチールなどの金属性素材からなることができる。
【００４３】
前記第１樹脂層は電極組立体と電解液が内蔵されている面に対面するので、電池の作動中にも電池ケースとの絶縁状態が維持されることができる絶縁性樹脂から構成されなければならず、電解液と反応するか、電極組立体と接触しても破れ、又は剥げることが生じないほどの耐久性が要求される。
【００４４】
前記第２樹脂層は外部から電池を保護する役割を果たすので、優れた引張強度及び耐久性を有することにより、外部の物理的力によって容易に剥げ、又は破れて内部に位置する金属層が露出されてはいけない。
【００４５】
前記第１樹脂層と第２樹脂層は互いに同一の素材又は異なる素材からなることができ、前記ラミネートシートは熱融着によって密封されるから、前記第１樹脂層は高温加圧時に溶融して融着する素材からなる。
【００４６】
前記リードフィルムは、ポリイミド（ＰＩ：ｐｏｌｙｉｍｉｄｅ）、ポリプロピレン（ＰＰ：ｐｏｌｙｐｒｏｐｈｙｌｅｎｅ）、ポリエチレン（ＰＥ：ｐｏｌｙｅｔｈｙｌｅｎｅ）、ポリエチレンテレフタレート（ＰＥＴ：ｐｏｌｙｅｔｈｙｌｅｎｅ  ｔｅｒｅｐｈｔｈａｌａｔｅ）及びポリ塩化ビニル（ＰＶＣ：ｐｏｌｙｖｉｎｙｌ  ｃｈｌｏｒｉｄｅ）、高密度ポリエチレン（ＨＤＰＥ：ｈｉｇｈ  ｄｅｎｓｉｔｙ  ｐｏｌｙｅｔｈｙｌｅｎｅ）、及びエポキシ樹脂からなる群から選択されるいずれか１種又は２種以上の物質から構成され、熱と圧力によって電池ケースの内部層と熱融着して接着される。
【００４７】
前記発光物質の種類は、紫外線又は青色光などによって励起され、肉眼で識別可能な波長帯の光を発する物質であれば特に限定されないが、前記発光物質は二次電池の製造工程中の熱融着工程で変質しないように、少なくとも１００℃以上でも損傷されないように耐熱性を有する物質を使うことが好ましい。
【００４８】
前記発光物質は、水系又は溶剤系の蛍光染料、硫化物系蛍光顔料、酸素酸塩系の蛍光顔料、燐光顔料からなる群から選択される１種以上であり得る。
【００４９】
また、前記発光物質は、クマリン系、ナフタルイミド系、キナクリドン系、シアニン系、キサンチン系、ピリジン系、低分子発光材料、高分子発光材料、無機系及びこれらの組合せからなる群から選択された１種以上であり得る。
【００５０】
具体的に、前記発光物質は、３−（２−ベンゾチアゾリル）−７−ジエチルアミノクマリン（クマリン６）、３−（２−ベンズイミダゾリル）−７−ジエチルアミノクマリン（クマリン７）、及びクマリン１３５などを含むクマリン系；ソルベントイエロー（Ｓｏｌｖｅｎｔ  Ｙｅｌｌｏｗ）４３、ソルベントイエロー４４などを含むナフタルイミド系；ジエチルキナクリドン（ＤＥＱ）などのキナクリドン系；４−ジシアノメチレン−２−メチル−６−（ｐ−ジメチルアミノスチリル）−４Ｈ−ピラン（ＤＣＭ−１（Ｉ））、ＤＣＭ−２（±ＤＣＪＴＢ（ＩＩＩ））などを含むシアニン系；ロダミンＢ、及びロダミン６Ｇなどを含むキサンチン系；ピリジン１を含むピリジン系；４，４−ジフルオロ−１，３，５，７−テトラフェニル−４−ボラ−３ａ、４ａ−ジアザ−ｓ−インダセン（３ルモゲンＦレッド、ナイルレッド（Ｖ）などの低分子発光材料；ポリフェニレン（ｐｏｌｙｐｈｅｎｙｌｅｎｅ）、ポリアリーレン（ｐｏｌｙａｒｙｌｅｎｅ）、ポリフルオレン（ｐｏｌｙｆｌｕｏｒｅｎｅ）などを含む高分子発光材料；青色発光のＳｒ（ＰＯ２）Ｃｌ：Ｅｕ、緑色色発光のＺｎ２ＧｅＯ２：Ｍｎ、赤色発光のＹ２Ｏ２Ｓ：Ｅｕなどの無機系；及びこれらの組合せからなる群から選択された１種以上であり得る。
【００５１】
また、二次電池の絶縁性を確保するために、前記発光物質は伝導性物質の金属が含まれていない非金属体の希土類を使うことができ、ツリウム（Ｔｍ）、エオジム（Ｎｄ）、イッテルビウム（Ｙｂ）及びガドリニウム（Ｇｄ）を含むことができる。
【００５２】
前記リードフィルムは、リードフィルム本体と発光物質が一体型に形成された構造を有することができる。具体的に、リードフィルムの製造の際に、前記発光物質をリードフィルム組成物に分散させてリードフィルムを成形する。
【００５３】
また、前記リードフィルムは、リードフィルム本体及び前記リードフィルム本体の外面に形成された発光層を含む構造を有することができる。前記リードフィルム本体は従来のリードフィルムを意味する。具体的に、前記リードフィルム本体の表面に発光物質をコーティング又は噴射するか、あるいは前記リードフィルム本体の外面に発光物質を含むフィルムを付着することにより、前記リードフィルム本体の外面に発光層を形成する。
【００５４】
前記リードフィルム又は発光層の外面に保護層がさらに設けられる。
【００５５】
前記保護層は発光物質がリードフィルムから離脱するか前記発光層が損傷されることを防止する役割を果たし、リードフィルムが全体的に均一に発光するようにするから、二次電池の欠陥検査のエラーを最小化することができる。
【００５６】
また、前記保護層はリードフィルムの強度を向上させ、熱融着時にリードフィルムが巻かれるか又は撓むことを防止する役割を果たす。
【００５７】
前記保護層は光を反射せずにそのまま吸収して発光層にそのまま入射させて発光層が蛍光を発することができる素材からなることができる。
【００５８】
前記保護層は熱と圧力によって電池ケースの内部層と熱融着して接着され、絶縁性及び電池ケースとの密封性確保のために、リードフィルムと同様に、ポリイミド（ＰＩ：ｐｏｌｙｉｍｉｄｅ）、ポリプロピレン（ＰＰ：ｐｏｌｙｐｒｏｐｈｙｌｅｎｅ）、ポリエチレン（ＰＥ：ｐｏｌｙｅｔｈｙｌｅｎｅ）、ポリエチレンテレフタレート（ＰＥＴ：ｐｏｌｙｅｔｈｙｌｅｎｅ  ｔｅｒｅｐｈｔｈａｌａｔｅ）、ポリ塩化ビニル（ＰＶＣ：ｐｏｌｙｖｉｎｙｌ  ｃｈｌｏｒｉｄｅ）、高密度ポリエチレン（ＨＤＰＥ：ｈｉｇｈ  ｄｅｎｓｉｔｙ  ｐｏｌｙｅｔｈｙｌｅｎｅ）、及びエポキシ樹脂からなる群から選択されるいずれか１種又は２種以上の混合物からなることができる。
【００５９】
前記リードフィルムがリードフィルム本体、発光層及び保護層を含む多層構造を有する場合、リードフィルム本体と発光層との間、発光層と保護層との間にそれぞれ接着剤層が形成されて接着されていることもでき、共押出によって多層フィルム化させることにより、別途の接着剤層なしに直接接着された多層構造を有することができる。
【００６０】
前記リードフィルムは相異なる色相を発光する２種以上の発光物質を含む構造を有する。具体的に、緑色を発光する第１発光部、赤色を発光する第２発光部及び青色を発光する第３発光部を含むことができる。
【００６１】
また、本発明は、前記二次電池の欠陥検査方法を提供する。
【００６２】
具体的に、前記二次電池の欠陥検査方法は、
（ａ）発光物質を含む構造を有するリードフィルムを適用して二次電池を製造する段階と、
（ｂ）前記段階（ａ）で製造された二次電池に光照射する段階と、
（ｃ）リードフィルムが蛍光で発光した部分を肉眼で確認して欠陥を有するかを判別する段階とを含むことができる。
【００６３】
以下、添付図面に基づいて本発明が属する技術分野で通常の知識を有する者が本発明を容易に実施することができる実施例を詳細に説明する。ただ、本発明の好適な実施例に対する動作原理を詳細に説明するにあたり、公知の機能又は構成についての具体的な説明が本発明の要旨を不必要にあいまいにする可能性があると判断される場合には、その詳細な説明を省略する。
【００６４】
また、図面全般にわたって類似の機能及び作用をする部分に対しては同じ図面符号を使う。明細書全般で、ある部分が他の部分と連結されていると言うとき、これは直接的に連結されている場合だけではなく、その中間に他の素子を挟んで間接的に連結されている場合も含む。また、ある構成要素を含むというのは、特に反対の記載がない限り、他の構成要素を排除するものではなく、他の構成要素をさらに含むことができることを意味する。
【００６５】
本発明の一実施例を図面に基づいて詳細に説明する。
【００６６】
＜実施例１＞
図１は本発明の一実施例によるリードフィルムの垂直断面図である。
【００６７】
図１を参照すると、本実施例によるリードフィルム１０は単層構造を有する。具体的に、前記リードフィルムはリードフィルム本体１１と発光物質１２が一体型に形成された構造を有する。
【００６８】
＜実施例２＞
図２は本発明の他の実施例によるリードフィルムの垂直断面図である。
【００６９】
図２を参照すると、本実施例によるリードフィルム２０は、リードフィルム本体２１の一側面に発光層２２が形成された２層構造を有する。したがって、電極リードの両側面にリードフィルムが付着するとき、リードフィルム本体が電極リードに向かい、発光層が電極リードに向かうリードフィルム本体の他面に付着されるように位置することが好ましい。
【００７０】
図１及び図２に示したものに替えて、前記リードフィルム１０及び発光層２２の外面に保護層（図示せず）が選択的に設けられることができる。
【００７１】
本発明のさらに他の実施例によれば、リードフィルムは相異なる色相を発光する２種以上の発光物質を含む。具体的に、緑色を発光する第１発光部、赤色を発光する第２発光部、及び青色を発光する第３発光部を含む。前記発光部はリードフィルム本体と一体型に形成された発光物質又はリードフィルム本体の上面に形成された発光層を意味する。
【００７２】
前記第１発光部、第２発光部及び第３発光部は前記緑色、赤色及び青色に制限されるものではない。緑色、赤色及び青色の他に、黄色、蒲色のような色相からなることもできる。また、単一色相からなることもできる。単一色相からなる場合には、発光物質の量によって明るさに違いがあるものであり得る。
【００７３】
＜実施例３＞
図３は本発明の一実施例による二次電池の平面図である。
【００７４】
図３を参照すると、パウチ型電池ケース１１０の中心部に形成された収納部１２０に電極組立体１４０が収納されている。電極組立体１４０の上部には陽極リード１５１及び陰極リード１５２が形成されている。前記陽極リード１５１の上下面には第１発光部１６２が形成されたリードフィルム１６０が付着されており、陰極リード１５２の上下面には第２発光部１７２が形成されたリードフィルム１７０が付着されている。
【００７５】
前記陽極リード１５１及び陰極リード１５２は相異なる色相で発光する発光部１６２、１７２を含むリードフィルム１６０、１７０が付着されているので、前記リードフィルム１６０、１７０の色相で陽極及び陰極を区分することができる。よって、複数の電池セルを含む電池モジュール又は電池パックの製造の際に、電池セルの直列接続及び並列接続のための電極の区別を容易に遂行することができる利点がある。
【００７６】
＜実施例４＞
図４は本発明の他の一実施例によるリードフィルムの平面図である。
【００７７】
図４を参照すると、一つのリードフィルム２６０に、相異なる色相を発光する第１発光部２６１、第２発光部２６２及び第３発光部２６３が形成される。
【００７８】
具体的に、リードフィルム２６０が突出した末端から電池ケース２１０の方向に、緑色を発光する第１発光部２６１、赤色を発光する第２発光部２６２、及び青色を発光する第３発光部２６３が形成されている。前記構成によって、二次電池の製造後、肉眼で確認される領域によってリードフィルム２６０の突出長を把握することができる。
【００７９】
具体的に、前記リードフィルム２６０は全長の１５％〜３０％が突出し、５０％以上突出しないことが好ましい。前記第１発光部２６１はリードフィルム２６０が突出した末端から電池ケース２１０の方向に１５％の位置まで形成されることができ、第２発光部２６２はリードフィルム２６０が突出した末端から電池ケース２１０の方向に１０％の位置から４０％の位置まで形成されることができる。
【００８０】
図４のように、リードフィルム２６０が第２発光部２６２の形成された部分まで電池ケース２１０の外部に突出している場合、電池ケースの外周面を密封したとき、陽極リード２５１及び陰極リード２５２が電池ケース２１０と直接接触する部分がなくなる。したがって、二次電池の製造後、第２発光部２６２を肉眼で確認することができる場合、リードフィルム２６０の突出長が正常範囲にあることが分かる。
【００８１】
図５及び図６はリードフィルム付着欠陥の例を示す二次電池の平面図である。
【００８２】
図５のように、リードフィルム２６０が第１発光部２６１の形成された部分まで電池ケース２１０の外部に突出し、第２発光部２６２は突出しない場合、突出長が足りないことが分かる。このような場合、電池ケース２１０の外周面を密封したとき、陽極リード２５１及び陰極リード２５２が電池ケース２１０と直接接触する部分はないが、突出長があまりにも短くなって熱融着密封工程で前記リードフィルムが巻かれるか又は撓む現象が発生し得る。
【００８３】
図６のように、リードフィルムが第３発光部の形成された部分まで電池ケースの外部に突出している場合、陰極リード及び陽極リードが電池ケースと直接的に接触して絶縁性低下、短絡、又は腐食のような問題をもたらすことになる。よって、第３発光部まで見えると、リードフィルムの突出長が超過しており、欠陥を有することが分かる。
【００８４】
以上で本発明の実施例を示す図面を参照して説明したが、本発明が属する分野で通常の知識を有する者であれば前記内容に基づいて本発明の範疇内で多様な応用及び変形をなすことが可能であろう。
【産業上の利用可能性】
【００８５】
以上で説明したように、本発明の一実施例によるパウチ型二次電池は、リードフィルム突出部が光照射によって蛍光を示すので、二次電池の製造後、リードフィルムが発光した部分を肉眼で確認してリードフィルムの付着状態を容易に確認することができるから、二次電池の絶縁性を確保し、欠陥品を事前に容易に区分することができ、信頼性を図ることができる。
【００８６】
また、陽極リード及び陰極リードに付着されるリードフィルムが相異なる色相を発光する２種以上の発光物質を含むので、前記リードフィルムの色相で陽極及び陰極を区分することができる。よって、複数の電池セルを含む電池モジュール又は電池パックの製造の際に、電池セルの直列接続及び並列接続のための電極区別が容易に行える利点がある。
【００８７】
それぞれのリードフィルムが一定長さごとに相異なる色相を発光する２種以上の発光物質を含む構造を有するので、光照射によって肉眼で確認したとき、前記リードフィルムの突出長を発光色相で容易に把握することができる。すなわち、前記リードフィルムが電池ケースの外部に過度に突出するかあまりにも小さく突出しない範囲を肉眼で容易に把握することができる。
【００８８】
前記リードフィルムの外面に保護層がさらに設けられることにより、発光物質がリードフィルムから離脱するか又は前記発光層が損傷されることを防止することができるので、リードフィルムが全体的に均一に発光することができ、二次電池の欠陥検査のエラーを最小化することができる。また、前記保護層はリードフィルムの強度を向上させることにより、熱融着時にリードフィルムが巻かれるか又は撓むことを防止することができる。
【００８９】
このように、本発明の一実施例によるパウチ型二次電池は、リードフィルムが定位置に付着されているかを容易に確認することができるので、二次電池の絶縁性確保の信頼度を高めることができるだけでなく、欠陥品判断を光照射によって正確で迅速に遂行することができる。
【符号の説明】
【００９０】
１０、２０、１６０、１７０、２６０    リードフィルム
１１、２１、１６１、１７１    リードフィルム本体
１２    発光物質
２２    発光層
１００、２００    パウチ型二次電池
１１０、２１０    電池ケース
１２０、２２０    収納部
１３０、２３０    シーリング部
１４０、２４０    電極組立体
１５０、２５０    電極リード
１５１、２５１    陽極リード
１５２、２５２    陰極リード
１６２、２６１    第１発光部
１７２、２６２    第２発光部
２６３    第３発光部
【図１】
2021500716.tif 000003
【図２】
2021500716.tif 000004
【図３】
2021500716.tif 000005
【図４】
2021500716.tif 000006
【図５】
2021500716.tif 000007
【図６】
2021500716.tif 000008
【国際調査報告】
2021500716.tif 000009
2021500716.tif 000010
2021500716.tif 000011
2021500716.tif 000012